(57)【特許請求の範囲】
【請求項１】
座部を備えた椅子本体と、該椅子本体の側方に形成されたメモ台支持機構を介して当該椅子本体に着脱自在に取り付けられるメモ台ユニットとを有するメモ台付き椅子において、
前記メモ台ユニットは、メモ台と、前後方向における幅寸法が上方に向かって広がっている部分の前端縁および後端縁に第１の係合凹部および第２の係合凹部がそれぞれ形成された連結板とを備え、
前記メモ台支持機構は、前記連結板が上方から差し込まれる差し込み溝と、該差し込み溝内で前記連結板の両面にそれぞれ接する第１の内壁および第２の内壁と、当該差し込み溝内に差し込まれた前記連結板の前記第１および第２の係合凹部にそれぞれ係合して前記メモ台が前記座部の前方に位置するように前記メモ台ユニットを保持する第１および第２の係合部とを備えていることを特徴とするメモ台付き椅子。
【請求項２】
請求項１に記載のメモ台付き椅子において、
前記メモ台支持機構は、前記椅子本体の左右両側に構成され、
前記メモ台ユニットは、前記メモ台が左右いずれの方向にも反転可能に形成されているとともに、当該メモ台が左右いずれの方向に反転したときでも当該メモ台を水平姿勢に固定するストッパを備えていることを特徴とするメモ台付き椅子。
【発明の詳細な説明】
【０００１】
【発明の属する技術分野】
本発明はメモ台付き椅子に関するものである。
【０００２】
【従来の技術】
会議場等では、脚部、座部および背凭れ部を備えた椅子本体に対してメモ台が取り付けられたメモ台付き椅子が使われることが多い。この種のメモ台付き椅子には、座部の右側から延びたアームなどにメモ台が水平に取り付けられている。従って、利用者は、座部の右前方で水平姿勢になっているメモ台を利用して記録をとることができるので、便利である。
【０００３】
【発明が解決しようとする課題】
しかしながら、メモ台付き椅子は、メモ台が邪魔になって倉庫などに保管するのに不便であるという問題点がある。そこで、メモ台を着脱可能にすることが考えられるが、このような構造にするにあたって、メモ台をボルトなどで椅子本体に着脱する構成では、メモ台を着脱する度にレンチなどの道具が必要になるので不便であるとともに、その着脱に手間がかかる。
【０００４】
また、メモ台付き椅子は、一般に、利用者が右利きであるものとして座部の右前方に配置されているが、このような構成では左利きの者にとってはかなり不便である。そこで、メモ台を座部の左右いずれにも着脱できる構成にすればよいが、このような着脱にボルトなどを用いた構成では、メモ台を着脱する度にレンチなどの道具が必要になるので不便であるとともに、その着脱に手間がかかる。
【０００５】
そこで、本発明の課題は、上記の問題点を解消することにより、使い勝手のよいメモ台付き椅子を提供することにある。
【０００６】
【課題を解決するための手段】
上記課題を解決するために、本発明は、座部を備えた椅子本体と、該椅子本体の側方に形成されたメモ台支持機構を介して当該椅子本体に着脱自在に取り付けられるメモ台ユニットとを有するメモ台付き椅子において、前記メモ台ユニットは、メモ台と、前後方向における幅寸法が上方に向かって広がっている部分の前端縁および後端縁に第１の係合凹部および第２の係合凹部がそれぞれ形成された連結板とを備え、前記メモ台支持機構は、前記連結板が上方から差し込まれる差し込み溝と、該差し込み溝内で前記連結板の両面にそれぞれ接する第１の内壁および第２の内壁と、当該差し込み溝内に差し込まれた前記連結板の前記第１および第２の係合凹部にそれぞれ係合して前記メモ台が前記座部の前方に位置するように前記メモ台ユニットを保持する第１および第２の係合部とを備えていることを特徴とする。
【０００７】
本発明において、椅子本体にメモ台ユニットを取り付けるには、まず、メモ台ユニットの連結板をメモ台支持機構の差し込み溝に差し込む。ここで、連結板の前端縁および後端縁には第１および第２の係合凹部がそれぞれ形成されている一方、差し込み溝内には第１および第２の係合部が形成されているので、メモ台ユニットの連結板を差し込み溝内に差し込んだ後、メモ台ユニットを前方向に傾けて第１および第２の係合凹部に第１および第２の係合部をそれぞれ係合させると、メモ台ユニットはそれ以上、前傾しない。従って、メモ台ユニットのメモ台を座部の前方位置で水平姿勢に固定することができる。また、メモ台上でメモをとる際に、メモ台に荷重がかかっても、このときかかる荷重の方向は、第１および第２の係合凹部に第１および第２の係合部が深く係合する方向であるので、メモ台ががたつくことがない。さらにこの状態では、差し込み溝内で第１および第２の内壁が連結板の両面に接するので、メモ台ユニットは左右方向にがたつくことがない。一方、メモ台ユニットを後方に傾けるようにして第１および第２の係合凹部と第１および第２の係合部との係合を解除しながらメモ台ユニットの連結板を差し込み溝内から引き抜くだけで、メモ台ユニットを椅子本体から外すことができる。このように、本発明に係るメモ台付き椅子では、メモ台ユニットを椅子本体に容易に着脱することができる。また、メモ台ユニットを椅子本体に着脱するのにボルトなどを一切、用いていないので、メモ台ユニットを着脱する際にレンチなどの道具が不要である。それ故、本発明のメモ台付き椅子は、倉庫などに保管する際にメモ台ユニットを手間をかけずに外して保管できるなど、使い勝手がよい。
【０００８】
本発明において、前記メモ台支持機構は、前記椅子本体の左右両側に構成され、前記メモ台ユニットは、前記メモ台が左右いずれの方向にも反転可能に形成されているとともに、当該メモ台が左右いずれの方向に反転したときでも当該メモ台を水平姿勢に固定するストッパを備えていることが好ましい。
【０００９】
本発明に係るメモ台付き椅子では、メモ台支持機構が椅子本体の左右両側に形成されているので、メモ台ユニットを左右いずれの側にも取り付けることができる。また、メモ台ユニットでは、メモ台が左右いずれの側にも反転させることができ、かつ、メモ台を水平姿勢の固定するためのストッパが形成されているので、右利きの者が利用する場合には、メモ台ユニットを椅子本体の右側に取り付けてメモ台を左側に倒せば、利用者の右前方でメモ台が水平姿勢をとる。これとは逆に、左利きの者が利用する場合には、メモ台ユニットを椅子本体の左側に取り付けてメモ台を右側に倒せば、利用者の左前方でメモ台が水平姿勢をとる。このように、本発明では、１台のメモ台付き椅子を右利き用および左利き用に用いることができるので、使い勝手がよい。
【００１１】
【発明の実施の形態】
以下に、図面を参照して本発明の実施の形態を説明する。
【００１２】
（全体構成）
図１は、本発明を適用したメモ台付き椅子を示す斜視図である。図１に示すように、本形態のメモ台付き椅子１は、椅子本体２と、椅子本体２における座部２３の左右両側に構成されたメモ台支持機構４Ａ、４Ｂと、メモ台支持機構４Ａ、４Ｂを介して椅子本体２の右側あるいは左側に着脱されるメモ台ユニット３とを有している。
【００１３】
椅子本体２は、前後にハの字に延びる一対の右側脚部２１と、同じく前後にハの字に延びる一対の左側脚部２２と、これらの左右の脚部２１、２２の上端部に支持された略正方形の座部２３と、座部２３の後端部に支持された背凭れ部２２４とから構成されている。左右の脚部２１、２２は金属製のパイプによって形成され、座部２３および背凭れ部２４は、プラスチック製の座板２３１および背凭れ板２４１の表面にクッション２３２、２４２を被せた構成になっている。
【００１４】
（メモ台ユニット３の構成）
図２は、図１に示すメモ台付き椅子に用いたメモ台ユニット３を示す側面図、図３（Ａ）は、メモ台ユニット３を示す正面図である。図１、図２および図３（Ａ）に示すように、メモ台ユニット３は、メモ台３１、このメモ台３１を支持するアーム３２、およびメモ台３１とアーム３２との間に構成されたメモ台反転機構３４を備えている。
【００１５】
アーム３２は、金属製のパイプをＬ字型に折り曲げたもので、その水平部３２１には、椅子本体２に対する連結板３３（連結部）の上端部分が連結されている。連結板３３は、アーム３２の水平部３２１から斜め後方に緩く湾曲した形状をもって延びた一定厚の金属板から構成され、側面部３３３を左右に向けている。連結板３３の前端縁３３５および後端縁３３６には、円弧状に切り欠かれた第１の係合凹部３３１および第２の係合凹部３３２がそれぞれ形成されている。
【００１６】
アーム３２の垂直部３２２の上端部には、メモ台３１を支持するためのメモ台反転機構３４が構成されている。このメモ台反転機構３４においては、まず、アーム３２の上端部には、断面コの字形状の受け板３４１の底部が固着されている。受け板３４１の底部には、角棒状のストッパ３４７が溶接などの方法で固着されている。このストッパ３４７よりも上方位置には、受け板３４１の前端部から後端部にかけて、メモ台３１の回転中心となるボルト３４３が水平に取り付けられている。このボルト３４３の軸部には支持板３４４が連結され、この支持板３４４は、コの字形状に張り出した一対の張出部３４５がメモ台３１を挟み、かつ、ねじ３４９によってメモ台３１に連結されている。このため、メモ台３１は、支持板３４４および受け板３４１を介してボルト３４３の中心軸線３４３Ｌの周りに回転自在な状態でアーム３２に支持されている。さらに、支持板３４４の基部３４５と受け板３４１の側板部３４２との間には、ボルト３４３の軸部に同軸状に装着されたワッシャー３４８が挟まれ、このワッシャー３４８は適度な滑り摩擦を有する樹脂製品である。このため、支持板３４４がボルト３４３の軸線周りに回転する際に適度な摩擦力（抵抗力）がかかるようになっている。従って、メモ台３１は、アーム３２の上端部で左右いずれの方向にも反転可能であるとともに、図２および図３（Ａ）に示すように、アーム３２の上端部において直立した姿勢を保つこともできる。
【００１７】
また、図３（Ｂ）に矢印Ｒおよび矢印Ｌで示すように、ボルト３４４の中心軸線３４４Ｌの周りにメモ台３１を回転させると、メモ台３１が水平姿勢になった状態で支持板３４４の基部３４５がストッパ３４７の角部分に当たる。このため、メモ台３１は、一点鎖線で示すように、左右いずれの方向に反転させたときも、ストッパ３４７によって右側あるいは左側に水平に平伏した姿勢に保持される。
【００１８】
図１および図２に示すように、メモ台３１は木材等で形成された一定の厚さを有する板であって、支持板３４４との連結部分から幅方向（左右方向）に延びる長方形部分３１２と、支持板３４４との連結部分から手間側に延びるひじ掛け部３１１とを備えた略Ｌ字型の平面形状をしている。長方形部分３１２とひじ掛け部３１１との間の湾曲した凹部３１３には、座部２３に座った者の胴が位置するようになっている。また、メモ台３１はその両面を使用できるように、両面のいずれにもメラミン貼りが施されている。
【００１９】
（メモ台支持機構４Ａ、４Ｂの構成）
次に、図４（Ａ）、（Ｂ）を参照して、メモ台ユニット３を支持するためのメモ台支持機構４Ａ、４Ｂについて説明する。但し、左右のメモ台支持機構４Ａ、４Ｂは、左右対称に構成されている点で相違するものの、基本的な構成が同一である。従って、ここでは、右側のメモ台支持機構４Ａのみについて、図４（Ａ）、（Ｂ）を参照して説明し、左側のメモ台支持機構４Ｂについては、その図示および詳細な説明を省略する。
【００２０】
図４（Ａ）は、メモ台支持機構４Ａを示す分解斜視図、図４（Ｂ）はメモ台支持機構４Ａを組み立てた状態における断面図である。
【００２１】
図４（Ａ）、（Ｂ）において、座部２３の右側に構成されたメモ台支持機構４Ａは、一対の右側脚部２１の上端部同士を連結する金属製のプレート４１に対して、第１の内壁部材４２、円筒状の第１および第２の係合片４４、４５（第１および第２の係合部）、第２の内壁部材４３、これらの第１および第２の内壁部材４２、４３を覆う内ケース４６、およびこの内ケース４６を覆うカバー４７がこの順に取り付けられることによって構成されている。
【００２２】
これらの部材のうち、第１および第２の内壁部材４２、４３は略台形形状に形成され、その外周縁の上辺を除く３辺には低い側壁４２１、４３１がそれぞれ形成されている。また、第１および第２の内壁部材４２、４３には、側壁４２１、４３１とは反対側に向けて突出した位置決め用の突起４２３、４３３と、一対のボルト４８３が通される貫通孔４２２、４３２がそれぞれ形成されている。
【００２３】
このように構成した第１および第２の内壁部材４２、４３は、その側壁４２１、４３１の先端部同士を突き合わされた状態となるように重ねられる結果、第１および第２の内壁部材４２、４３の間には、上方からメモ台ユニット３の連結板３３が差し込まれる差し込み溝４９が形成される。ここで、第１および第２の内壁部材４２、４３が対向する距離は、メモ台ユニット３の連結板３３が略隙間なく嵌まって第１および第２の内壁部材４２、４３が連結板３３の両面にそれぞれ接触するように設定されている。また、第１および第２の内壁部材４２、４３は適度な滑り摩擦を有する樹脂成形品であり、差し込み溝４９にメモ台ユニット３の連結板３３を抜き差しする際に適度な抵抗力を発揮するようになっている。
【００２４】
第１および第２の内壁部材４２、４３を覆う内ケース４６も略台形形状に形成され、その外周縁の上辺を除く３箇所にはやや高めの側壁４６１が形成されている。側壁４６１の両側２箇所にはフランジ部４５３が形成されている。このフランジ部４５３に形成された貫通孔４５４およびプレート４１の貫通孔４１２にボルト４８１を通すとともに、このボルト４８１にナット４８２を止めることにより、内ケース４６はその内側に第１および第２の内壁部材４２、４３を収納した状態でプレート４１に固定されている。
【００２５】
この状態で、第１および第２の内壁部材４２、４３に形成された位置決め用の突起４２３、４３３はそれぞれ、プレート４１に形成された貫通孔４１３および内ケース４６に形成された貫通孔４６３にそれぞれ嵌まっており、第１および第２の内壁部材４２、４３が内ケース４６から外れないようになっている。
【００２６】
内ケース４６の外側を覆うカバー４７は、内ケース４６の側面を覆う側面部４７１と、内ケース４６の上方を覆う上面部４７２とを備えている。上面部４７２には、内ケース４６に収納された第１および第２の内壁部材４２、４３の間に形成される差し込み溝４９の上側開口に対応するスリット４７３が形成されている。カバー４７の側面部４７１には、一対の貫通孔４７４が形成されている。また、このカバー４７の貫通孔４７４に対応するように、第１および第２の内壁部材４２、４３、内ケース４６およびプレート４１にもそれぞれ一対の貫通孔４２２、４３２、４６２、４１１が形成されている。これらの貫通孔にボルト４８３を通すとともに、このボルト４８３にナット４８４を止めることにより、カバー４７がプレート４１１に固定されている。
【００２７】
この際に、一対のボルト４８３の各軸部には、円筒状に形成された第１および第２の係合片４４、４５が同軸状に装着される。その結果、第１および第２の係合片４４、４５は、第１および第２の内壁部材４２、４３の間（差し込み溝４９内）において、略同じ高さ位置で前後に配置された状態となる。
【００２８】
このように構成したメモ台支持機構４Ａにおいて、差し込み溝４９には、図５に示すように、上方からメモ台ユニット３の連結板３３を第１および第２の係合片４４、４５の間に差し込むことができる。このようにして、差し込み溝４９に連結板３３を差し込む際には、連結板３３が略垂直方向を向くようにメモ台ユニット３をやや後方に倒し気味にする。
【００２９】
このようにして連結板３３を差し込み溝４９に挿入した状態において、矢印Ｆで示すように、メモ台ユニット３を前方に倒すと、図６に示すように、連結板３３が下側後方に向けて斜めに延びた状態となる。その結果、連結板３３の前端縁３３５に形成した第１の係合凹部３３１に第１の係合片４４が入り込む一方、連結板３３の後端縁３３６に形成した第２の係合凹部３３に第２の係合片４５が入り込む。従って、メモ台ユニット３のそれ以上の前傾が阻止される。この状態で、メモ台３１を右側または左側に倒すと、メモ台３１はメモ台反転機構３４のボルト３４３を中心として回転するとともに、メモ台３１が水平姿勢となったときには、ストッパ３４７によってそれ以上の回転が阻止される。その結果、メモ台３１は水平姿勢となる。
【００３０】
このようにして、メモ台支持機構４Ａを介してメモ台ユニット３を椅子本体２に取り付けた状態から、メモ台ユニット３を取り外すときには上記と逆の動作を行う。すなわち、メモ台ユニット３を図６に示す状態から図５に矢印Ｂで示すように、後方に傾けると、第１の係合凹部３３１と第１の係合片４４との係合が解除されるので、この姿勢のままメモ台ユニット３を持ち上げると、第２の係合凹部３３２と第２の係合片４５との係合も解除されて、連結板を差し込み溝４９から引き抜くことができる。
【００３１】
このように構成されたメモ台支持機構４Ａは、図１に示すように、座部２３の左側にも構成されている。すなわち、座部２３の左側の脚部２２の上端部にも、メモ台支持機構４Ｂが構成されている。この左側のメモ台支持機構４Ｂは、上記した右側のメモ台支持機構４Ａと左右対称に構成されている。従って、メモ台ユニット３を座部２３の左側に付け換えることができる。
【００３２】
（メモ台付き椅子１の使用方法）
このように構成されたメモ台付き椅子１を右利きの者が使用する場合には、図１に示すように、メモ台ユニット３を座部２３の右側のメモ台支持機構４Ａに装着し、メモ台３１を左向きに倒す。このようにすると、座部２３に着座した者の右前方でメモ台３１が平伏するので、メモ台３１上でメモをとるのに利用できる。
【００３３】
これに対して、左利きの者が使用する場合には、図７に示すように、メモ台ユニット３を座部２３の左側のメモ台支持機構４Ｂに装着し、メモ台３１を右向きに倒す。このようにすると、座部２３に着座した者の左前方でメモ台３１が平伏するので、左利きの者もメモ台３１上でメモをとるのに利用できる。
【００３４】
さらに、メモ台付き椅子１を倉庫に保管するときなど、メモ台ユニット３が邪魔になる場合には、メモ台支持機構４Ａ、４Ｂからメモ台ユニット３を外せばよい。
【００３５】
（本形態の効果）
このように、本形態のメモ台付き椅子１では、メモ台ユニット３の連結板３３をメモ台支持機構４Ａ、４Ｂの差し込み溝３９に差し込んで第１および第２の係合凹部３３１、３３２に第１および第２の係合片４４、４５をそれぞれ係合させるだけで、メモ台ユニット３を椅子本体２に取り付けることができる。この状態では、メモ台３１に荷重がかかっても、このときかかる荷重の方向は、第１および第２の係合凹部３３１、３３２に第１および第２の係合片４４、４５が深く係合する方向であるので、メモ台３１ががたつくことがない。またこの状態において、差し込み溝３９内では、第１および第２の内壁部材４２、４３が連結板３３の両面に接するので、メモ台ユニット３は左右方向にがたつくことはない。一方、メモ台ユニット３を後方に傾けるようにして第１および第２の係合凹部３３１、３３２と第１および第２の係合片４４、４５との係合を解除しながらメモ台ユニット３の連結板３３を差し込み溝３９内から引き抜くだけで、メモ台ユニット３を椅子本体２から外すことができる。従って、本形態のメモ台付き椅子１では、メモ台ユニット３を椅子本体２に容易に着脱することができる。また、メモ台ユニット３を椅子本体２に着脱するのにボルトなどを用いていないので、この点からいっても、メモ台ユニット３を着脱するのに手間がかからないという利点がある。それ故、本発明のメモ台付き椅子１は、倉庫などに保管する際にメモ台ユニット３を外して保管できるなど、使い勝手がよい。
【００３６】
また、本形態のメモ台付き椅子１では、メモ台支持機構４Ａ、４Ｂが椅子本体２の左右両側に形成されているので、メモ台ユニット３を左右いずれの側にも取り付けることができる。また、メモ台ユニット３では、メモ台３１が左右いずれの側にも反転させることができ、かつ、メモ台３１を水平姿勢の固定するためのストッパ３４７が形成されているので、右利きの者が利用する場合には、メモ台ユニット３を椅子本体２の右側に取り付けてメモ台３１を左側に倒せば、利用者の右前方でメモ台３１が水平姿勢をとる。これとは逆に、左利きの者が利用する場合には、メモ台ユニット３を椅子本体２の左側に取り付けてメモ台３１を右側に倒せば、利用者の左前方でメモ台３１が水平姿勢をとる。従って、本形態のメモ台付き椅子１は、右利き用および左利き用に用いることができるので、使い勝手がよい。
【００３７】
【発明の効果】
以上説明したように、本発明のメモ台付き椅子では、メモ台ユニットの連結板を差し込み溝内に差し込んで第１および第２の係合凹部に第１および第２の係合部をそれぞれ係合させるだけで、メモ台ユニットを椅子本体に取り付けることができるなど、レンチなどの道具を使わずに、メモ台ユニットを椅子本体に対して簡単に着脱できる。それ故、本発明のメモ台付き椅子は、倉庫などに保管する際にメモ台ユニットを外して保管できるなど、使い勝手がよい。また、メモ台上でメモをとる際に、メモ台に荷重がかかっても、このときかかる荷重の方向は、第１および第２の係合凹部に第１および第２の係合部が深く係合する方向であるので、メモ台ががたつくことがない。さらに、差し込み溝内では、第１および第２の内壁が連結板の両面に接するので、メモ台ユニットは左右方向にがたつくことはない。
【００３８】
また、本発明のメモ台付き椅子では、メモ台支持機構が椅子本体の左右両側に形成されているので、メモ台ユニットを左右いずれの側にも取り付けることができる。また、メモ台ユニットでは、メモ台が左右いずれの側にも反転させることができ、かつ、メモ台を水平姿勢の固定するためのストッパが形成されているので、右利きの者が利用する場合には、メモ台ユニットを椅子本体の右側に取り付けてメモ台を左側に倒せば、利用者の右前方でメモ台が水平姿勢をとる。これとは逆に、左利きの者が利用する場合には、メモ台ユニットを椅子本体の左側に取り付けてメモ台を右側に倒せば、利用者の左前方でメモ台が水平姿勢をとる。このように、本発明では、メモ台付き椅子をそのまま右利き用および左利き用に用いることができるので、使い勝手がよい。
【図面の簡単な説明】
【図１】本発明のメモ台付き椅子を示す斜視図である。
【図２】図１に示すメモ台付き椅子のメモ台ユニットを示す側面図である。
【図３】（Ａ）は、図２に示すメモ台ユニットの要部の正面図、（Ｂ）は、（Ａ）に示すメモ台ユニットにおいてメモ台を左右に反転させる動作を示す説明図である。
【図４】（Ａ）は、図１に示すメモ台付き椅子に構成したメモ台支持機構の分解斜視図、（Ｂ）は、（Ａ）に示すメモ台支持機構をの断面図である。
【図５】図１に示すメモ台付き椅子のメモ台支持機構にメモ台を装着する際の様子を示す説明図である。
【図６】図１に示すメモ台付き椅子のメモ台支持機構にメモ台を装着した様子を示す説明図である。
【図７】図１に示すメモ台付き椅子の座部左側にメモ台を装着した様子を示す斜視図である。
【符号の説明】
１    メモ台付き椅子
２    椅子本体
３    メモ台ユニット
４Ａ、４Ｂ  メモ台支持機構
２１  右側脚部
２２  左側脚部
２３  座部
２４  背凭れ部
３１  メモ台
３２  アーム
３３  連結板
３４  メモ台反転機構
４２  第１の内壁部材（第１の内壁）
４３  第２の内壁部材（第２の内壁）
４４  第１の係合片（第１の係合部）
４５  第２の係合片（第２の係合部）
３３１  第１の係合凹部
３３２  第２の係合凹部
３４７  ストッパ
【図１】
0004169422.tif 000002
【図２】
0004169422.tif 000003
【図３】
0004169422.tif 000004
【図４】
0004169422.tif 000005
【図５】
0004169422.tif 000006
【図６】
0004169422.tif 000007
【図７】
0004169422.tif 000008